【事件の表示】
　平成　９年特許願第　２５８１２号「コネクタ」拒絶査定に対する審判事件（請求項１，２）［平成１０年　８月　７日出願公開、特開平１０−２０８７８８］について、次のとおり審決する。
【結　論】
　本件審判の請求（請求項数２）は、成り立たない。
【理　由】
１．本件は、原審における拒絶の査定を機に、その査定の取消と本件出願に係る発明に付き特許をすべきことを請求して提起された審判請求事件に存する。
　
２．本件の出願は、平成９年１月２４日の出願に係り（特願平９−２５８１２号）その特許を受けようとする発明は、明細書及び図面の記載に徴し、特許請求の範囲に記載された以下のとおりである。
　「【請求項１】２００Ｖの３芯ＶＶＦケーブル（３）から１００Ｖの２芯ＶＶＦケーブル（３’）を接続分岐させるために使用するコネクタであって、通電性に富んだ金属板製の二つのコンタクト（１），（１’）と、絶縁性に富んだ合成樹脂製の本体（２）とからなり、前記コンタクト（１），（１’）が、側面からみた断面形状を略逆Ｕ字形とし、その二つの平行な片（１ａ），（１ａ）に、前記両ＶＶＦケーブル（３），（３’）の絶縁外皮（３１）と絶縁内皮（３２）とを切断して各ケーブルの接続すべき芯線に夫々接触する二つの切込み部（１１），（１１）が所定の間隔（Ｄ）を隔てて形成され、且つケーブルの絶縁外皮（３１）を切断し隣接する絶縁内皮（３２），（３２）の間に入り込んで夫々を左右に分断する切断刃（１３），（１３）が、前記切り込み部（１１），（１１）の近傍で前記二つの平行な片（１ａ），（１ａ）を結ぶ方向に沿ってそれぞれ形成されており前記本体（２）が、両ＶＶＦケーブル（３），（３’）を挿通する平行な２本の溝（２１），（２２）を備え且つ互いに嵌合可能に形成された半割り形の二つの本体構成体（２ａ），（２ｂ）によって構成され、一方の本体構成体（２ａ）には前記コンタクト（１），（１’）を挿入する二つの挿入穴（２３），（２３）が設けられ、前記一方のコンタクト（１）の切込み部（１１），（１１）の間隔（Ｄ１）が前記溝（２１）に挿入された３芯ＶＶＦケーブル（３）のアース線となる芯線（３３’）と溝（２２）に挿入された２芯ＶＶＦケーブル（３’）の何れか一方の芯線（３４）との間隔（Ｌ１）と略等しく形成され、他方のコンタクト（１’）の切込み部（１１），（１１）の間隔（Ｄ２）が前記３芯ＶＶＦケーブル（３）の実質的な通電線となる何れか一方の芯線（３３）と溝（２２）に挿入された２芯ＶＶＦケーブル（３’）の他方の芯線（３４）との間隔（Ｌ２）と略等しく形成されているコネクタ。
　　【請求項２】　２００Ｖの３芯ＶＶＦケーブル（３）から２００Ｖの２芯ＶＶＦケーブル（３’）を接続分岐させるために使用するコネクタであって、通電性に富んだ金属板製の二つのコンタクト（１），（１’）と、絶縁性に富んだ合成樹脂製の本体（２）とからなり、前記コンタクト（１），（１’）が、側面からみた断面形状を略逆Ｕ字形とし、その二つの平行な片（１ａ），（１ａ）に、前記両ＶＶＦケーブル（３），（３’）の絶縁外皮（３１）と絶縁内皮（３２）とを切断して各ケーブルの接続すべき芯線に夫々接触する二つの切り込み部（１１），（１１）が所定の間隔（Ｄ）を隔てて形成され、且つケーブルの絶縁外皮（３１）を切断し隣接する絶縁内皮（３２），（３２）の間に入り込んで夫々を左右に分断する切断刃（１３），（１３）が、前記切り込み部（１１），（１１）の近傍で前記二つの平行な片（１ａ），（１ａ）を結ぶ方向に沿ってそれぞれ形成されており前記本体（２）が、両ＶＶＦケーブル（３），（３’）を挿通する平行な２本の溝（２１），（２２）を備え且つ互いに嵌合可能に形成された半割り形の二つの本体構成体（２ａ），（２ｂ）によって構成され、一方の本体構成体（２ａ）には前記コンタクト（１），（１’）を挿入する二つの挿入穴（２３），（２３）が設けられ、前記一方のコンタクト（１）の切込み部（１１），（１１）の間隔（Ｄ３）が前記溝（２１）に挿入された３芯ＶＶＦケーブル（３）の実質的な通電線となる何れか一方の芯線（３３）と溝（２２）に挿入された２芯ＶＶＦケーブル（３’）の何れか一方の芯線（３４）との間隔（Ｌ３）と略等しく形成され、他方のコンタクト（１’）の切込み部（１１），（１１）の間隔（Ｄ３）が前記３芯ＶＶＦケーブル（３）の通電線となる他方の芯線（３３）と溝（２２）に挿入された２芯ＶＶＦケーブル（３’）の他方の芯線（３４）との間隔（Ｌ４）と略等しく形成されているコネクタ。」
　
３．　[引用例の記載]
１） これに対して原査定の拒絶の理由として引用された「特開平７−１３０４０９号公報」には、以下の事項が、図面とともに記載されている。
イ）　「【００２１】
　　　【実施例】
　以下、本発明の複数の実施例を図面を参照して説明するが、各実施例に共通する（し得る）部分・部品についての重複する説明を原則省略することにする。
　第１実施例
　以下、図１乃至５を参照して、第１実施例について説明する。本実施例のコネクタ装置１１は、折り返し式の絶縁用カバー部１２を一方側に具えた長方体状のハウジング１３と、このハウジング１３の上面側に挿入・装着され得る２つの接続子１４、とから基本的に成る。
【００２２】
　例えば、絶縁性を有するＰＰ（ポリプロピレン）、ナイロン等の軟質プラスチック材料で形成され得るハウジング１３の長手方向中央には、本実施例の適用対象の一例としての低圧屋内配線用の本線ＷMである２芯平形のビニル絶縁ケーブル（以下、ＶＶＦケーブル）が挿入され得る長円断面状の本線挿入部１３ａが形成される。
【００２３】
　ハウジング１３の本線挿入部１３ａの両側には、分岐線ＷSである単一電線が挿入され得る円形断面状の分岐線挿入部１３ｂが、相互平行に形成される。
　ハウジング側面には、本線挿入部１３ａに到る開き部（スロット）１３ｊが形成され、ハウジング１３が弾性的に開くようになっており、この開き部１３ｊは、それと対向するヒンジ部分１３ｋを中心にして拡縮し得る。従って、本線ＷMを切断することなく、横方向から本線挿入部１３ａに本線ＷM を容易に装着することができる。そして、本線ＷM の挿入（装着）後に、ハウジング１３の開き部１３ｊを被うように、カバー部１２を折り返すことにより、カバー部１２の自由端のフック状の係止部１６は、ハウジング下部の突起部（被係止部）１７に係合する。これにより、ハウジング１３は、開かないように保持される。すなわち、開き部１３ｊの隙間が一定に保持され、本線挿入部１３ａ内の本線ＷM がそこから横方向に抜け出る心配がない。尚、図示しないが、同様に、分岐線挿入部１３ｂに到る切り込みを形成して、分岐線ＷSを切断することなく、横方向から分岐線挿入部１３ｂに分岐線ＷSを装着し得るように構成することもできる。
【００２４】
　ハウジング１３の上面側には、接続子１４が挿入され得る接続子挿入部１３ｃが、長手方向に斜めに２つ形成され、各接続子挿入部１３ｃは、本線挿入部１３ａ及び分岐線挿入部１３ｂと連通するようになっている。
　例えば、黄銅、リン青銅、ベリリウム銅等の銅又は銅合金から成る板材に半田メッキ又は銀メッキ等を施してＵ状に折り曲げ形成されて成る接続子１４は、その両側に、２組の電線受容可能なＵ状の切り込み部（以下、導通接触部）１４ａ、１４ｂを有する。
【００２５】
　その中途段階を示す図３から理解され得るように、ハウジング１３の接続子挿入部１３ｃに対する接続子１４の挿入時においては、接続子１４の一方側の２つの導通接触部１４ａは、本線（ＶＶＦケーブル）ＷMの絶縁部（シース及び絶縁部材）を穿刺して１の本線芯部に食い込んでそれに接触・係合し、他方側の２つの導通接触部１４ｂは、分岐線（単一電線）ＷS の絶縁部（絶縁部材）を穿刺して対応する１の分岐線芯部に食い込んで接触・係合する。
【００２６】
　このように接続子１４を介して橋渡し式に、本線ＷM 側の一方の芯部（導体）は、分岐線ＷS 側の電線（芯部）と電気的に接続され、本線ＷM 側の他方の芯部（導体）は、分岐ＷS 線側の別の電線（芯部）と電気的に接続される。
　すなわち、本実施例においては、本線（ＶＶＦケーブル）ＷM を切断することなく、本線ＷM と分岐線（単一電線）ＷS との分岐作業を極めて容易且つ迅速に行うことができる。そして、接続子１４の上面は、事後的にカバー部１２により被われて絶縁処理され得るので、安全上好ましい。
【００２７】
　尚、本線挿入部１３ａ及び分岐線挿入部１３ｂの出入口部分には、図５（Ａ）に示されたように、薄肉にして弾力性を持たせた電線・ケーブル保持部分１３ｅが設けられ、その本線部分及び分岐線部分に折れ曲がり力が過度に集中しにくいように配慮されるが、分岐線側の電線が、ＶＶＦケーブルのシースのみを除去して得られたものであるような場合を考慮して、同図（Ｂ）に示されたように、ケーブルシースまで保持・保護し得るような保持部分１３ｆが設けられ得る。
【００２８】
　また、言うまでもないが、上記及び後述する実施例の構成要素は、現有の技術及び製造設備（従来のコネクタ製造用のプラスチック成型設備、エレメントプレス加工設備及びコネクタ組立設備等）を用いて容易に製造可能である。
　第２実施例
　本実施例のコネクタ装置２１は、図６及び７から理解され得るように、ハウジング２３の２つの接続子挿入部が、長手方向に直交するように、両者一列になって形成されている点を除き、接続子２４の構造や全体の作用効果等が上記第１実施例（図１乃至５参照）と同様である。従って、その重複する説明は省略することにする。
【００２９】
　第３実施例
　本実施例のコネクタ装置３１は、図８乃至１１から理解され得るように、接続子３４の一方側にクサビ部３５が設けられる点を除き、上記第１実施例（図１乃至５参照）と同様であるので、その相違点についてのみ以下詳説する。
　クサビ部３５は、先端が鋭角に形成され、且つその下方突出長さが導通接触部３４ａ、３４ｂのそれよりも僅かに長い。従って、ハウジング３３に対する接続子３４の挿入・装着時には、クサビ部３５は、本線ＷM （ＶＶＦケーブル）中央の絶縁部（シース及び絶縁部材）を先導的に切開し、これにより、導通接触部３４ａ、ｂの上記穿刺等を容易に行うことができる。また、このクサビ部３５が、例えば、絶縁性を有するＰＣ（ポリカーボネイト）等の硬質プラスチック材料又はフィラー入り強化プラスチック材料で形成される場合、本線ＷM 芯部（導体）の間に割って入り、その位置にスペーサ的に位置する結果、両部の絶縁（相間絶縁）が確実化され、極めて好ましい。」（公報段落番号【００２１〜００２９】参照。）
ロ）　「【００３２】第５実施例
　以上説明した第１乃至第４実施例においては、分岐線Ｗ５として単一の電線、が用いられるが、以下の第５及び６実施例においては、分岐線Ｗ５として２芯平形絶縁ケーブル（ＶＶＦケーブル）が用いられる。すなわち、本実施例のコネクタ装置５１は、図１４及び１５から理解され得るように、一方が本線用、他方が分岐線用の、２つの長円断面状の挿入部５３ａ，５３ｂが相互平行に横に並べて形成されたハウジング５３ａと、このハウジング５３の上面側の２つの接続子挿入部５３ｃに挿入・装着され得る２つの接続子５４、とから基本的に成る。
　【００３３】この接続子５４は、導通接触部５４ａ、５４ｂの間の寸法がそれよりも大きくなっている点を除き、第１実施例のそれと形状的、材料的、機能的に略同じである。ハウジング５３の接続子挿入部５３ｃに対する接続子５４の挿入時においては、接続子５４の一方側の２つの導通接触部５４ａ（５４ｂ）は、本線ＷＭ（ＶＶＦケ−ブル）の絶縁部（シ−ス及び絶縁部材）を穿刺して１の本線芯部に食い込んでそれに接触・係合し、他方側の２つの導通接触部５４ｂ（５４ａ）は、分岐線Ｗ５（ＶＶＦケーブルの絶縁部（シース及び絶縁部材）を穿刺して対応する１の分岐線芯部に食い込んでそれに接触・係合する。」（公報段落番号【００３２】、【００３３】参照）
２）　同じく原査定の拒絶の理由として引用された「実願昭５４−１２７８１９号（実開昭５６−４４４７２号）のマイクロフィルム」（以下、「第２引用例」という。）には、以下の事項が、図面とともに記載されている。
　「本考案のコネクタは絶縁ハウジング１と該絶縁ハウジング１に装着された扁平で薄い導電性接触子２（第２図、第３図参照）とから成る。絶縁ハウジング１は、第１図に示すように、可撓性の連結片６を介して折り重ね自在に連結された第１のベース３及び第２のベース４と、該第２のベース４に可撓性の連結帯片７を介して折り曲げ自在に連結したカバー５との三つの部材から成り、全体がナイロン等の電気絶縁材料により一体構造に成形されている。
　第１のベース３及び第２のベース４の折り重ね対接面にはそれぞれ断面半円形の丸味を付けた底面を有する２本の電線支持凹部８１，９１及び８２，９２が設けられている。第１のベース３はその電線支持凹部８１，９１，の中央部を横切る細い横溝１０と、該横溝１０内にあって各電線支持凹部８１，９１の一部分を形成するよう突設した突出部１１とを有している。             
　第２のベース４はその電線支持凹部８２，９２の中央部を横切る大きな開口１２を有し、開口１２によって二つに分離された各電線支持凹部の内側に電線押え片１３が設けられている。１４は第２のベース４の側端部に突設した係止爪、１５は係止爪１４に対応して第１のベース３の外側部に設けた係止段部、１６は第１のベース３の中央部両側に突設した係止耳片であって、後述するカバー５の錠止手段に供される。１７は第２のベース４の中央部両側に形成した案内壁で、カバー５を第２のベース４に重ね合わせるときの案内をする。１８は第１のベース３の電線支持凹部８１の端部に突設したストツパである。」（明細書第２頁１３行〜第４頁２行目）
３）　同様に、原査定の拒絶の理由として引用された「特開平２−２９１６８７号公報」（以下、「第３引用例」という。）には、以下の事項が記載されている。
イ）　「一般に、単相三線配線において、適当な位置に分岐配線を設けて１００Ｖ用と２００Ｖ用とのコンセントを配設するが、その分岐配線はいずれの電圧を採用するにせよ、その場所で必要とする２線配線である。すなわち、１００Ｖ用のコンセントのためには、一方の活電線と中性線とから分岐配線を引き出し、２００Ｖ用のコンセントのためには、二本の活電線からそれぞれ分岐配線を引き出している。
　発明が解決しようとする課題
　コンセントの仕様を、１００Ｖから２００Ｖ用に変更する器合、又は、その逆の場合、もう一本の分岐配線を増設する必要がある。」
（公報第１頁右欄６〜１８行）
ロ）　「このようなことから、コンセントの設置位置に対しては、それが１００Ｖ用であろうと、２００Ｖ用であろうと三本の分岐配線を設けておけば、コンセントの変更時に分岐配線の増設工事を行なう必要はない（が）、」
　（公報第２頁上段左欄６〜１０行）
ハ）　「次に、第５図乃至第７図に基づいて本発明の第二の実施例を説明する。前記実施例と同一部分は同一符号を用い、説明も省略する。本実施例は不要電線収納部としての挿入孔８を二個形成し、これらの挿入孔８の内部には、互いの挿入孔８から挿入された電線の接続は行なうが、他の部分には接線されていないダミー端子９を収納したものである。このダミー端子９は、挿入された電線をロツクする機能と、必要に応じてそのロックを解除する機能とを有するものである。
　本実施例においては、前記実施例と同様にに、例えば１００Ｖ用のコンセントを２００Ｖ用に変更することが可能なものであるが、その他の機能として、１００Ｖ用のコンセント設置位置に２００Ｖ用のコンセントを増設することも可能なものである。すなわち、第７図（ａ）に示すものは、１００Ｖ用のコンセントを接続した状態である。すなわち、不要電線６として中性線が挿入孔８に挿入されている。このようなコンセントに対して、挿入孔８に、挿入された中性線は、その内部でダミー端子９に接続されているものであるが、第７図（ｂ）に示すように、１００Ｖ用のコンセントのもつ一つの挿入孔８から２００Ｖ用のコンセントの接続端子部３に接続配線１０で接続し、Ｖ１なる活電線からの分岐配線５が接続された１００Ｖ用のコンセントの接線端子部３からは、接続配線１１を用いて２００Ｖ用のコンセントの他方の接続端子部３に接線する。
　　このようにして、同じ分岐配線が引き出された位置に、１００Ｖ用のコンセントの外に２００Ｖ用のコンセントが増設される。すなわち、接続配線１０，１１の追加のみで特別な配線の増設工事を伴うことなく２００Ｖ用のコンセントの増設が行なわれる。」（公報第３頁上段左欄３行〜同段右欄１８行）
　
４．　対比判断
　本件の特許請求の範囲の請求項１に係る発明（以下、「本件発明」という。）
と第１引用例に記載の発明を比較検討するに、
　第１引用例に記載された「コネクタ装置１１」は、本件発明の「コネクタ」と同義である（第１引用例に記載の発明においては、２芯ＶＶＦケーブルから２芯ＶＶＦケーブルを接続分岐させるために使用するコネクタの例が開示されているが（例えば、【図１５】の態様）、これは単なる１実施例に過ぎず、３芯ＶＶＦケーブルからの接続を想定したコネクタにおいても基本的に当てはまることは明かであるというべきである。）。
　第１引用例に記載の「黄銅、リン青銅、ベリリウム銅等の銅又は銅合金から成る板材に半田メッキ又は銀メッキ等を施してＵ状に折り曲げ形成されて成る接続子（１４、１４等）」は、本件発明の「通電性に富んだ金属板製の二つのコンタクト」に相当していることは明かであり、同引用例に記載の「絶縁性を有するＰＰ（ポリプロピレン）、ナイロン等の軟質プラスチック材料で形成され得るハウジング１３」は、本件発明の「絶縁性に富んだ合成樹脂製の本体」に相当しており、
　同引用例に記載された「コネクタ」は、上記コンタクト及び本体とからなるものである。
　第１引用例に記載されたコンタクトは、「側面からみた断面形状略逆Ｕ字形」を呈しており（第１、４、９図図示の態様参照）、その『「２組の電線受容可能なＵ状の切り込み部（以下、導通接触部）１４ａ、１４ｂ（３４ａ、３４ｂ）」を擁する導通接触片部』は、本件発明の「二つの平行な片」に、相当しており、そのうちの、第１引用例に記載の「２組の電線受容可能なＵ状の切り込み部（以下、導通接触部）１４ａ、１４ｂ（３４ａ、３４ｂ）」は、自体、本件発明における「ＶＶＦケーブルの絶縁外皮と絶縁内皮とを切断して各ケーブルの接続すべき芯線に夫々接触する二つの切込み部」に、相当しており、これ等二つの切り込み部は、所定の間隔を隔てて形成されているものである。
　そして、第１引用例に記載された（就中第３実施例に開示の技術）「くさび部３５」は、本件発明の「ケーブルの絶縁外皮を切断し隣接する絶縁内皮の間に入り込んで夫々を左右に分断する切断刃」を実現していることは、その機能と図示の態様に照らし明かであり、前記切り込み部の近傍で二つの平行な片を結ぶ方向に沿ってそれぞれ形成されていることも是認されるところである（第３実施例の記載並びに【図８】〜【図１１】の態様参照）。
　次に、第１引用例に記載された「本体」の構成に言及する。
　第１引用例に記載の本体もヒンジ部分１３ｋを中心に拡縮できるものであるところ上記ヒンジ部分より上方の本体部分（構成体）と下方の本体部分（構成体）を観念することができるものというべきであり、二つの本体構成体より構成されていると捉えることが許されるものというべきである。
　そして、第１引用例に記載のコネクタ本体も、例えば第５実施例を引き合いに出すと、第１５図図示の「長円断面状の挿入部５３ａ、５３ｂ」は、本件発明の「両ＶＶＦケーブルを挿通する平行な二本の溝」に相当し、同引用例に記載の「接続子挿入部１３ｃ、１３ｃ」は、本願発明にいう「一方の本体構成体には前記コンタクトを挿入する二つの挿入穴」を実現していることは、その機能と形態に照らし明かなところである。
 　そして、第１引用例に記載の上記実施例の発明においても、一方のコンタクトの切り込み部と切り込み部の間隔が、前記溝に挿入された２芯（偶々２芯であるが、３芯でも基本的には変わらない）ＶＶＦケーブルの一つの芯線と前記溝に挿入された他の２芯ＶＶＦケーブルの何れか一方の芯線との間隔が略等しく形成されているということができる。
　蓋し、第１引用例に開示の第５実施例の発明も、第１実施例に記載の発明の形状・機能を援用しているところ、 本実施例においても、
イ）　「本体１３のコンタクトを挿入する挿入穴１３ｃに対するコンタクト１４の挿入時においては、コンタクト１４の一方側の２つの切り込み部１４ａは、ＶＶＦケーブルＷM の絶縁部（シース及び絶縁部材）を穿刺して１のＶＶＦケーブル芯部に食い込んでそれに接触・係合し、他方側の２つの切り込み１４ｂは、分岐線（単一電線）ＷS の絶縁部（絶縁部材）を穿刺して対応する１の分岐線芯部に食い込んで接触・係合する。」（段落番号【００２５】の記載参照）
ロ）　「コンタクト１４を介して橋渡し式に、ＶＶＦケーブル芯線ＷM 側の一方の芯部（導体）は、分岐線ＷS 側の電線（芯部）と電気的に接続され、芯線ＷM側の他方の芯部（導体）は、分岐ＷS 線側の別の電線（芯部）と電気的に接続される。」（段落番号【００２６】の記載参照）
ハ）　「第１５図、第１６図の態様（接続に係る芯線と芯線との芯が切り込みの中央線部とほぼ同一の寸度である態様が、示されている。 ）」
が、当てはまるものであるところ、斯かる技術的基板を醸成する発明思想の中に上記切り込み部間隔と芯線相互の間隔とが略等しい寸度であることが必然含意されているとみるべきであるからである。
　このことは、第１引用例に記載の発明の一方のコンタクトと同様の理由により、他方のコンタクトについても等しく当てはまり得ることである。
　即ち、他方のコンタクトの切り込み部の間隔が、２芯（複芯）ＶＶＦケーブルの実質的な通電線となる何れか一方の芯線（第１引用例のものでは一方のコンタクトとの接続に供せられない残りの芯線、第３引用例に記載の発明でいうならば、活電線Ｖ１若しくはＶ２）と溝に挿入された２芯ＶＶＦケーブルの他方の芯線との間隔と略等しく形成されていると捉えることができる。
　以上のとおりであるから、上記第１引用例に記載された技術的事項を、本件発明の構成要件との牽連性において抽出すると以下のとおりである。
　「複芯ＶＶＦケーブルから２芯ＶＶＦケーブルを接続分岐させるために使用するコネクタであって、通電性に富んだ金属板製の二つのコンタクトと、絶縁性に富んだ合成樹脂製の本体とからなり、前記コンタクトが、側面からみた断面形状を略逆Ｕ字形とし、その二つの平行な片に、前記両ＶＶＦケーブルの絶縁外皮と絶縁内皮とを切断して各ケーブルの接続すべき芯線に夫々接触する二つの切込み部が所定の間隔を隔てて形成され、且つケーブルの絶縁外皮を切断し隣接する絶縁内皮の間に入り込んで夫々を左右に分断する切断刃が、前記切り込み部の近傍で前記二つの平行な片を結ぶ方向に沿ってそれぞれ形成されており前記本体が、両ＶＶＦケーブルを挿通する平行な２本の溝を備え、二つの本体構成体によって構成され、一方の本体構成体には前記コンタクトを挿入する二つの挿入穴が設けられ、前記一方のコンタクトの切込み部の間隔が前記溝に挿入された複芯ＶＶＦケーブルの引き出す線となる芯線と溝に挿入された２芯ＶＶＦケーブルの何れか一方の芯線との間隔と略等しく形成され、他方のコンタクトの切込み部の間隔が前記複芯ＶＶＦケーブルの実質的な通電線となる何れか一方の芯線と溝に挿入された２芯ＶＶＦケーブルの他方の芯線との間隔と略等しく形成されているコネクタ。」
  そこで、本件発明と第１引用例に記載の発明とを比較すると、
ｉ）　複芯ＶＶＦケーブルから２芯ＶＶＦケーブルを接続分岐させるためのコネクタにおいて、本件発明は、２００Ｖの３芯ＶＶＦケーブルから１００Ｖの２芯ＶＶＦケーブルを接続分岐させるために使用するコネクタであると特定しているのに対して、
　第１引用例に記載の発明は、２芯ＶＶＦケーブルから２芯ＶＶＦケーブルを接続分岐させるために使用するコネクタである点、
ｉｉ）　本体を構成する二つの本体構成体が、本件発明は、嵌合可能に形成された半割り形になっているのに対して、第１引用例に記載の発明においては、上下二つの本体構成体がヒンジ部分を介して拡縮できるのみで嵌合可能な半割り形とはいい得ない点、
ｉｉｉ）　この相違点は、上記相違点ｉ）から必然出てくる相違というべきであるが、一方のコンタクトを介して２芯ケーブルへの接続分岐に当たり、本件発明が、３芯ＶＶＦケーブルのアース線となる芯線から２芯ＶＶＦケーブルの何れか一方へとしているのに対し、第１引用例に記載の発明においては、２芯ＶＶＦケーブルの一方の芯線から接続分岐している点、
において、それぞれ、相違している。
　その余の構成部分については、上記において審案したとおり両者間に格別の径庭は存しないというべきである。
　
５．　相違点の判断
　そこで、上記相違点につき 、審案する。
１）　相違点ｉ）について
     ところで、一般に、２００Ｖ用の３本のケーブルから１００Ｖの２本のケーブルを接続分岐させるコネクタは、例えば、上掲第３引用例に記載された発明に例証されるように、斯界において普通に使用されている。
　したがって、この点に於いて、本件発明が、第１引用例に記載された発明のコネクタに、２００Ｖ用３本ケーブルから１００用２本ケーブルを接続分岐させるという普通に知悉されている技術的事項を採択し、２００Ｖの３芯ＶＶＦから２芯１００ＶＶＦを接続分岐させるために使用するコネクタを構成した点は、当業者における予測可能な設計変更の域を出ないものというべきであり、よって齎らされる効果も格別顕著であるとは認められない。
２）　相違点ｉｉ）について
 コネクタ本体を二つの本体構成体によって構成したものにおいて、これ等構成体を嵌合可能な半割り形に形成してなるコネクタは、前掲第２引用例に記載の発明にみられるとおりこの出願前公知である。
　したがって、この点は、第１引用例に記載された二つの本体構成体によって構成される本体に、前掲第２引用例に記載された発明に開示された「二つの本体構成体を嵌合可能な半割り形に形成してなるコネクタ」の技術的事項を附加・介入したものに相当し、それに伴う効果も明細書の記載から窺うに格別な効用は見いだされないところ、予測可能な公知技術の附加の域を出ないものというべきである。
　蓋し、第１引用例に記載の本体であっても、上下二つの本体構成体は、ヒンジ部分を枢着の要部として拡縮可能であり、それ故、活電線から直に接続分岐することができるものであるからである。
３）　最後に、相違点ｉｉｉ）について審究する。
　ところで、２００Ｖの３本のケーブルから１００Ｖの２本のケーブルを接続分岐するに当たり、２００Ｖの３本ケーブルのアース線から分岐接続するべく、その線との関連で、コンタクトの間隔を定めるべく構成した点を審案するに、前述のとおり、前掲第３引用例に記載の発明において例証される如く、本件発明同様２００Ｖの３本ケーブルのアース線ともいうべき中性線（Ｎ線）と分岐配線されるべき１００Ｖ用の何れか一方の線に分岐するべく接続したものが、斯界において普通に知悉されている。
  したがって、この点は、単に前記相違点ｉ）において審案した事項を反映した展開であるに過ぎず、格別の創意工夫を要しなかったというべきである。
　なぜならば、ここでは、両接続ケーブルの芯線相互間の間隔とコンタクトの切り込み部間の間隔を略等しくするという寸度の牽連関係が重要であって、接続に係るケーブルがアース線であるか否かは、発明の困難性判断の帰趨を毫も左右しないものといってしかるべきであるからである。
　
６．　結び
　以上のとおりであるから、本件発明は、この出願前日本国内において頒布された刊行物である第１引用例に記載された発明に、同じく国内において頒布された刊行物である第２，第３の各引用例に記載された発明を組合せ勘案することにより、当業者において、容易に想到することができたものと認められる。
　故に、特許法第２９条第２項の規定により、本件発明につき、特許を受けることを得ない。
  尚附言するに、本件発明につき、特許を受けることができないものであるところ、本件特許請求の範囲請求項２に係る発明については、審案するまでもなく、本件出願につき、拒絶を免れない。
　よって、結論のとおり審決する。